(57)【要約】【課題】繰返し再生や情報記録媒体の経年変化等から記録データを保護する。【解決手段】情報記録媒体に記録されている画像データを選択的に再生する再生部及び／又は入力画面データを記録媒体に記録する記録部を有する情報記録再生装置において、上記情報記録媒体の劣化状態を検出する劣化状態検出手段と、この劣化状態検出手段により検出された劣化状態情報と予め定められた基準劣化状態情報とを比較する比較手段と、劣化状態が基準劣化状態情報を超える場合に警告する警告手段又は／及び画像データを保存する保存手段を備える。【選択図】図５
2006065976.tif 000002
【特許請求の範囲】
【請求項１】
情報記録媒体に記録されている一又は複数の記録データを選択的に再生する再生部及び／又は入力データを記録媒体に記録する記録部を有する情報記録再生装置において、
前記情報記録媒体の劣化状態を検出する劣化状態検出手段と、
前記検出された劣化状態情報と予め定められた基準劣化状態情報とを比較する比較手段と、
を備えたことを特徴とする情報記録再生装置。
【請求項２】
請求項１に記載の情報記録再生装置において、
前記情報記録再生装置は、前記比較手段による比較の結果、前記検出された劣化状態が前記基準劣化状態を超えたとき、警告を行う警告手段を更に備えることを特徴とする。
【請求項３】
請求項２に記載の情報記録再生装置において、
前記警告手段は表示手段であり、当該表示手段に警告メッセージを表示することを特徴とする。
【請求項４】
請求項1に記載の情報記録再生装置において、
前記情報記録再生装置は、前記比較手段による比較の結果、前記検出された劣化状態が前記基準劣化状態を超えたとき、当該情報記録媒体に記録されているデータの保存処理を行う保存手段を更に備えることを特徴とする。
【請求項５】
請求項1に記載情報記録再生装置において、
前記情報記録再生装置は、
前記比較手段による比較の結果、前記検出された劣化状態が前記基準劣化状態を超えたとき、
警告を行う警告手段と当該情報記録媒体に記録されているデータの保存処理を行う保存手段とを更に備えることを特徴とする。
【請求項６】
請求項５に記載の情報記録再生装置において、
前記警告手段は表示手段であり、当該表示手段に警告メッセージを表示することを特徴とする。
【請求項７】
請求項４〜６のいずれか一項に記載の情報記録再生装置において、
前記保存手段は、前記情報記録媒体に記録されている全データの保存処理を行うことを特徴とする。
【請求項８】
請求項４〜６のいずれか一項に記載の情報記録再生装置において、
前記保存手段は、前記情報記録媒体に記録されている全データのうち、劣化状態にあるデータの保存処理を行うことを特徴とする。
【請求項９】
請求項４〜８のいずれか一項に記載の情報記録再生装置において、
前記保存手段は、新たな情報記録媒体にデータの保存処理をすることを特徴とする。
【請求項１０】
請求項４〜８のいずれか一項に記載の情報記録再生装置において、
前記保存手段は、前記情報記録再生装置に備えられる記憶部にデータの保存処理をすることを特徴とする。
【請求項１１】
請求項4〜８のいずれか一項に記載の情報記録再生装置において、
前記保存手段は、前記情報記録再生装置に接続される外部記録機器にデータの保存処理をすることを特徴とする。
【請求項１２】
請求項１〜１１のいずれか一項に記載の情報記録再生装置において、
前記劣化状態検出手段は、前記情報記録媒体の再生回数を検出することを特徴とする。
【請求項１３】
請求項１２に記載の情報記録再生装置において、
前記記録媒体の再生回数の検出は、データが記憶されたディレクトリ及び／又はファイルの単位で行うことを特徴とする。
【請求項１４】
請求項１〜１３のいずれか一項に記載の情報記録再生装置において、
前記劣化状態検出手段は、前記画像データが記録されたディレクトリ及び／又はファイルの作成時の経過時間を検出することを特徴とする。
【請求項１５】
コンピュータを、
情報記録媒体に記録されている一又は複数の記録データを選択的に再生する再生手段及び／又は入力データを記録媒体に記録する記録手段として機能させるプログラムにおいて、
前記情報記録媒体の劣化状態を検出する劣化状態検出手段と、
前記検出された劣化状態情報と予め定められた基準劣化状態情報とを比較する比較手段として機能させることを特徴とするプログラム。
【請求項１６】
請求項１５に記載のプログラムにおいて、
前記コンピュータを、
前記比較手段による比較の結果、前記検出された劣化状態が前記基準劣化状態を超えたとき、警告を行う警告手段として更に機能させることを特徴とする。
【請求項１７】
請求項１６に記載のプログラムにおいて、
前記警告手段は表示手段であり、当該表示手段に警告メッセージを表示することを特徴とする。
【請求項１８】
請求項１５に記載のプログラムにおいて、
前記コンピュータを、
前記比較手段による比較の結果、前記検出された劣化状態が前記基準劣化状態を超えたとき、当該情報記録媒体に記録されているデータの保存処理を行う保存手段として更に機能させることを特徴とする。
【請求項１９】
請求項１５に記載のプログラムにおいて、
前記コンピュータを、
前記比較手段による比較の結果、前記検出された劣化状態が前記基準劣化状態を超えたとき、
警告を行う警告手段及び当該情報記録媒体に記録されているデータの保存処理を行う保存手段として更に機能させることを特徴とする。
【請求項２０】
請求項１９に記載のプログラムにおいて、
前記警告手段は表示手段であり、当該表示手段に警告メッセージを表示させることを特徴とする。
【請求項２１】
請求項１８〜２０のいずれか一項に記載のプログラムにおいて、
前記保存手段は、前記情報記録媒体に記録されている全データの保存処理を行うことを特徴とする。
【請求項２２】
請求項１８〜２０のいずれか一項に記載のプログラムにおいて、
前記保存手段は、前記情報記録媒体に記録されている全データのうち、劣化状態にあるデータの保存処理を行うことを特徴とする。
【請求項２３】
請求項１８〜２２のいずれか一項に記載のプログラムにおいて、
前記保存手段は、新たな情報記録媒体にデータの保存処理をすることを特徴とする。
【請求項２４】
請求項１８〜２２のいずれか一項に記載のプログラムにおいて、
前記保存手段は、前記情報記録再生装置に備えられる記憶部にデータの保存処理をすることを特徴とする。
【請求項２５】
請求項１８〜２２のいずれか一項に記載のプログラムにおいて、
前記保存手段は、前記情報記録再生装置に接続される外部記録機器にデータの保存処理をすることを特徴とする。
【請求項２６】
請求項１５〜２５のいずれか一項に記載のプログラムにおいて、
前記劣化状態検出手段は、前記情報記録媒体の再生回数を検出することを特徴とする。
【請求項２７】
請求項２６に記載のプログラムにおいて、
前記記録媒体の再生回数の検出は、データが記憶されたディレクトリ及び／又はファイルの単位で行うことを特徴とする。
【請求項２８】
請求項１５〜２５のいずれか一項に記載のプログラムにおいて、
前記劣化状態検出手段は、前記画像データが記録されたディレクトリ及び／又はファイルの作成時の経過時間を検出することを特徴とする。
【発明の詳細な説明】
【技術分野】
【０００１】
本発明は、コンピュータにデータの保護処理機能を実現させるプログラム及びデータの保護処理手段を備える情報記録再生装置に係り、特に記録データの劣化状態に応じてデータの保護処理機能を実現させるプログラム及びデータの保護処理手段を備える情報記録再生装置に関する。
【背景技術】
【０００２】
近年、デジタル技術の向上によりデジタル撮影機器で撮影された電子画像データを、キオスク等の無人端末に読み込ませて画像印刷を行ったり、ＤＶＤ−Ｒ等の記録ディスクに記録するサービスが行われている。このような記録ディスクを家庭のＤＶＤプレーヤ等で再生し、スライドショウの鑑賞等を行うことができる。
【０００３】
画像データの記録ディスクとしてこのような記録媒体が利用されるのは、比較的大容量になりやすい画像データの記録に好適である点、再生される画像の画質が高精細である点及び記録方式が機械的であり長期間の保存に適する点等があげられるが、これ以外にも、ユーザの所望するデータを迅速かつ簡便に呼び出しができる点があげられる。例えば、特許文献１には、記録ディスクに記録される記録データ毎に過去の再生状況を記録し、ユーザにその状況を提示する発明が提供されている。
【特許文献１】特開２００２−３１４９１７
【発明の開示】
【発明が解決しようとする課題】
【０００４】
しかしながら、ユーザの嗜好によっては同一画像データ等を何度も繰返し再生する場合がある。更には、上記特許文献１に示す発明等の活用によりこのような同一画像データ等の繰返し再生の機会も増加することが考えられる。一般にＤＶＤ−Ｒ等の光ストレージデバイスの記録方法は、ディスク上に高温で微細な記録用レーザを照射することでレーザ反射率の異なるアモルファス及びクリスタルの２種類のビットを形成することで行われる。このビットに読み取り用レーザを照射し、ビットの反射率の相違によって反射レーザが変化することで情報を読み取るという構成になっている。
再生時に記録ディスクに照射される読み取りレーザは、上記記録用レーザ比して低温であるが、一定の熱を有するものである。従って、照射が繰り返されるうちに部分的にビットが破壊されるという問題がある。
【０００５】
また、このように頻繁に再生される画像データ等が記録された記録ディスクは、再生装置に出し入れする機会も多く、記録面が損傷を受け再生が不可能な状態となったりあるいは画像等が乱れるという問題もある。
【０００６】
本発明の目的は、特定の画像の繰返し再生や、記録ディスク等の経年変化によって生ずる画像データの損傷又は損失を防止することに有る。
【課題を解決するための手段】
【０００７】
上記課題を解決するために、請求項１に記載の発明は、情報記録媒体に記録されている一又は複数の記録データを選択的に再生する再生部及び／又は入力データを記録媒体に記録する記録部を有する情報記録再生装置において、前記情報記録媒体の劣化状態を検出する劣化状態検出手段と、前記検出された劣化状態情報と予め定められた基準劣化状態情報とを比較する比較手段と、
を備えたことを特徴とする。
【０００８】
なおここで上記情報記録媒体に記録される記録データは、静止画像データ、動画像データ、音声データ、音声データ、アフレコ付静止画、サムネイル画像データ、スクリーンネイル画像データ等をいう。
【０００９】
請求項２に記載の発明は、請求項１に記載の情報記録再生装置において、前記情報記録再生装置は、前記比較手段による比較の結果、前記検出された劣化状態が前記基準劣化状態を超えたとき、警告を行う警告手段を更に備えることを特徴とする。
【００１０】
請求項３に記載の発明は、請求項２に記載の情報記録再生装置において、前記警告手段は表示手段であり、当該表示手段に警告メッセージを表示することを特徴とする。
【００１１】
請求項４に記載の発明は、請求項1に記載の情報記録再生装置において、前記情報記録再生装置は、前記比較手段による比較の結果、前記検出された劣化状態が前記基準劣化状態を超えたとき、当該情報記録媒体に記録されているデータの保存処理を行う保存手段を更に備えることを特徴とする。
【００１２】
請求項５に記載の発明は、請求項1に記載情報記録再生装置において、前記情報記録再生装置は、前記比較手段による比較の結果、前記検出された劣化状態が前記基準劣化状態を超えたとき、警告を行う警告手段と当該情報記録媒体に記録されているデータの保存処理を行う保存手段とを更に備えることを特徴とする。
【００１３】
請求項６に記載の発明は、請求項５に記載の情報記録再生装置において、
前記警告手段は表示手段であり、当該表示手段に警告メッセージを表示することを特徴とする。
【００１４】
請求項７に記載の発明は、請求項４〜６のいずれか一項に記載の情報記録再生装置において、前記保存手段は、前記情報記録媒体に記録されている全データの保存処理を行うことを特徴とする。
【００１５】
請求項８に記載の発明は、請求項４〜６のいずれか一項に記載の情報記録再生装置において、前記保存手段は、前記情報記録媒体に記録されている全データのうち、劣化状態にあるデータの保存処理を行うことを特徴とする。
【００１６】
請求項９に記載の発明は、請求項４〜８のいずれか一項に記載の情報記録再生装置において、前記保存手段は、新たな情報記録媒体にデータの保存処理をすることを特徴とする。
【００１７】
請求項１０に記載の発明は、請求項４〜８のいずれか一項に記載の情報記録再生装置において、前記保存手段は、前記情報記録再生装置に備えられる記憶部にデータの保存処理をすることを特徴とする。
【００１８】
請求項１１に記載の発明は、請求項4〜８のいずれか一項に記載の情報記録再生装置において、前記保存手段は、前記情報記録再生装置に接続される外部記録機器にデータの保存処理をすることを特徴とする。
【００１９】
請求項１２に記載の発明は、請求項１〜１１のいずれか一項に記載の情報記録再生装置において、前記劣化状態検出手段は、前記情報記録媒体の再生回数を検出することを特徴とする。
【００２０】
請求項１３に記載の発明は、請求項１２に記載の情報記録再生装置において、前記記録媒体の再生回数の検出は、データが記憶されたディレクトリ及び／又はファイルの単位で行うことを特徴とする。
【００２１】
請求項１４に記載の発明は、請求項１〜１１のいずれか一項に記載の情報記録再生装置において、
前記劣化状態検出手段は、前記画像データが記録されたディレクトリ及び／又はファイルの作成時の経過時間を検出することを特徴とする。
【００２２】
請求項１５に記載の発明は、コンピュータを、情報記録媒体に記録されている一又は複数の記録データを選択的に再生する再生手段及び／又は入力データを記録媒体に記録する記録手段として機能させるプログラムにおいて、前記情報記録媒体の劣化状態を検出する劣化状態検出手段と、前記検出された劣化状態情報と予め定められた基準劣化状態情報とを比較する比較手段として機能させることを特徴とする。
【００２３】
請求項１６に記載の発明は、請求項１５に記載のプログラムにおいて、前記コンピュータを、前記比較手段による比較の結果、前記検出された劣化状態が前記基準劣化状態を超えたとき、警告を行う警告手段として更に機能させることを特徴とする。
【００２４】
請求項１７に記載の発明は、請求項１６に記載のプログラムにおいて、前記警告手段は表示手段であり、当該表示手段に警告メッセージを表示することを特徴とする。
【００２５】
請求項１８に記載の発明は、請求項１５に記載のプログラムにおいて、前記コンピュータを、前記比較手段による比較の結果、前記検出された劣化状態が前記基準劣化状態を超えたとき、当該情報記録媒体に記録されているデータの保存処理を行う保存手段として更に機能させることを特徴とする。
【００２６】
請求項１９に記載の発明は、請求項１５に記載のプログラムにおいて、前記コンピュータを、前記比較手段による比較の結果、前記検出された劣化状態が前記基準劣化状態を超えたとき、警告を行う警告手段及び当該情報記録媒体に記録されているデータの保存処理を行う保存手段として更に機能させることを特徴とする。
【００２７】
請求項２０に記載の発明は、請求項１９に記載のプログラムにおいて、前記警告手段は表示手段であり、当該表示手段に警告メッセージを表示させることを特徴とする。
【００２８】
請求項２１に記載の発明は、請求項１８〜２０のいずれか一項に記載のプログラムにおいて、前記保存手段は、前記情報記録媒体に記録されている全データの保存処理を行うことを特徴とする。
【００２９】
請求項２２に記載の発明は、請求項１８〜２０のいずれか一項に記載のプログラムにおいて、前記保存手段は、前記情報記録媒体に記録されている全データのうち、劣化状態にあるデータの保存処理を行うことを特徴とする。
【００３０】
請求項２３に記載の発明は、請求項１８〜２２のいずれか一項に記載の情報記録再生装置において、前記保存手段は、新たな情報記録媒体にデータの保存処理をすることを特徴とする。
【００３１】
請求項２４に記載の発明は、請求項１８〜２２のいずれか一項に記載のプログラムにおいて、前記保存手段は、前記情報記録再生装置に備えられる記憶部にデータの保存処理をすることを特徴とする。
【００３２】
請求項２５に記載の発明は、請求項１８〜２２のいずれか一項に記載のプログラムにおいて、前記保存手段は、前記情報記録再生装置に接続される外部記録機器にデータの保存処理をすることを特徴とする。
【００３３】
請求項２６に記載の発明は、請求項１５〜２５のいずれか一項に記載のプログラムにおいて、前記劣化状態検出手段は、前記情報記録媒体の再生回数を検出することを特徴とする。
【００３４】
請求項２７に記載の発明は、請求項２６に記載のプログラムにおいて、前記記録媒体の再生回数の検出は、データが記憶されたディレクトリ及び／又はファイルの単位で行うことを特徴とする。
【００３５】
請求項２８に記載の発明は、請求項１５〜２５のいずれか一項に記載のプログラムにおいて、前記劣化状態検出手段は、前記画像データが記録されたディレクトリ及び／又はファイルの作成時の経過時間を検出することを特徴とする。
【発明の効果】
【００３６】
請求項１に記載の発明によれば、劣化状態検出手段により情報記録媒体に記録された記録データの劣化状態を検出することができる。この検出結果と予め定められた基準劣化情報とを比較手段により比較することで記録データの劣化状態を判別することが可能となる。
【００３７】
請求項２に記載の発明によれば、情報記録媒体の劣化状態と基準劣化情報とを比較した結果が基準劣化情報を超える場合に、警告を行う警告手段を更に備えるため、ユーザに保存を促し、記録データの確実な保存が可能となる。
【００３８】
請求項３に記載の発明によれば、警告手段は表示手段であり、この表示手段に警告メッセージを表示することで、ユーザの視覚に保存の必要性を訴求することから、更に確実に記録データデータの保存を行うことが可能となる。
【００３９】
請求項４に記載の発明によれば、情報記録媒体の劣化状態と基準劣化情報とを比較した結果が基準劣化情報を超える場合に情報記録媒体に記録されている記録データの保存処理を行う保存手段を更に備え、この保存手段がデータの保存処理を行うことで、記録データを長期間にわたって確実に保存することができる。
【００４０】
請求項５に記載の発明によれば、情報記録再生装置に警告手段と保存手段を更に備えることから、ユーザに注意を喚起し、かつ保存を行うことで、記録データを長期間にわたって更に確実に保存することができる。
【００４１】
請求項６に記載の発明によれば、警告手段は表示手段であり、この表示手段に警告メッセージを表示することで、ユーザの視覚に保存を訴求することかでき、保存手段とともに用いることで更に確実に記録データの保存を行うことが可能となる。
【００４２】
請求項７に記載の発明によれば、全データの保存処理を行うことにより情報記録媒体に記録されている内容の順番等を変更することなく同一の記録データを保存することができる。
【００４３】
請求項８に記載の発明によれば、劣化状態にある記録データのみの保存処理を行うことで必要以上の保存処理を回避することができる。
【００４４】
請求項９に記載の発明によれば、新たな情報記録媒体に保存処理を行うことで、記録方式及び形態が同一である予備の情報記録媒体を作成することができる。
【００４５】
請求項１０に記載の発明によれば、情報記録再生装置に備えられる記憶部に保存処理を行うことで、簡便にデータを保存することができる。
また、例えば他に保存するものがないときでも、一時的にデータを保存しておくことができる。
【００４６】
請求項１１に記載の発明によれば、情報記録再生装置に接続される外部記録機器にパックアップすることで、他に情報記録媒体がない場合あるいは情報記録再生装置に備えられる記憶部に空き領域がないあるいは不足している場合であってもデータを確実に保存することができる。
【００４７】
請求項１２に記載の発明によれば、前記情報記録媒体の再生回数を検出することで、情報記録媒体に読み込みレーザが照射される回数を正確に把握することが可能であり情報記録媒体の劣化状況を正確に検出することができる。
【００４８】
請求項１３に記載の発明によれば、ディレクトリ及び／又はファイル毎に再生回数を検出することで、個々のデータの状況が把握することができる。これによりデータごとに確実な保護を行うことができる。
【００４９】
請求項１４に記載の発明は、ディレクトリ及び／又はファイルの作成時を基準としてその経過時間を検出することで、情報記録媒体の経年変化等に対して記録データを保存することができる。
【００５０】
請求項１５に記載の発明によれば、コンピュータに、劣化状態検出手段により情報記録媒体に記録された記録データの劣化状態を検出させることができる。この検出結果と予め定められた基準劣化情報とを比較手段により比較させることで記録データの劣化状態を判別させることが可能となる。
【００５１】
請求項１６に記載の発明によれば、コンピュータを、情報記録媒体の劣化状態と基準劣化情報とを比較した結果が基準劣化情報を超える場合に、警告を行う警告手段として更に機能させるため、ユーザに保存を促すことが可能となり記録データの確実な保存が可能となる。
【００５２】
請求項１７に記載の発明によれば、警告手段は表示手段であり、この表示手段に警告メッセージを表示させることで、ユーザの視覚に保存の必要性を訴求することから、更に確実にデータの保存を行うことが可能となる。
【００５３】
請求項１８に記載の発明によれば、コンピュータを、情報記録媒体の劣化状態と基準劣化情報とを比較した結果が基準劣化情報を超える場合に情報記録媒体に記録されている記録データの保存処理を行う保存手段として更に機能させるため、この保存手段にデータの保存処理を行わせることができ、データを長期間にわたって確実に保存することが可能となる。
【００５４】
請求項１９に記載の発明によれば、コンピュータを、警告手段及び保存手段として更に機能させることから、ユーザに注意を喚起し、かつ保存を行わせることができ、より確実にデータを長期間にわたって保存することが可能となる。
【００５５】
請求項２０に記載の発明によれば、警告手段は表示手段であり、この表示手段に警告メッセージを表示させることで、ユーザの視覚に保存の必要性を訴求することができ、保存手段とともに用いることで更に確実にデータの保存が可能となる。
【００５６】
請求項２１に記載の発明によれば、全データの保存処理を行わせることにより情報記録媒体に記録されている内容の順番等を変更することなく同一のデータを保存することが可能となる。
【００５７】
請求項２２に記載の発明によれば、劣化状態にある記録データのみの保存処理を行わせることで必要以上の保存処理を回避することが可能となる。
【００５８】
請求項２３に記載の発明によれば、新たな情報記録媒体に保存処理を行わせることで、記録方式及び形態が同一である予備の情報記録媒体を作成することが可能となる。
【００５９】
請求項２４に記載の発明によれば、情報記録再生装置に備えられる記憶部に保存処理を行わせることで、簡便にデータを保存することが可能となる。
また、例えば他に情報記録媒体がない場合あるいは情報記録再生装置に備えられる記憶部に空き領域がないあるいは不足している場合であっても一時的にデータを保存しておくことができる。
【００６０】
請求項２５に記載の発明によれば、情報記録再生装置に接続される外部記録機器に保存処理を行わせることで、他に情報記録媒体がない場合あるいは情報記録再生装置に備えられる記憶部に空き領域がないあるいは不足している場合であっても記録データを確実に保存することができる。
【００６１】
請求項２６に記載の発明によれば、前記情報記録媒体の再生回数を検出させることで、情報記録媒体に読み込みレーザが照射される回数を正確に把握することが可能であり、情報記録媒体の劣化状況を正確に検出させることが可能となる。
【００６２】
請求項２７に記載の発明によれば、ディレクトリ及び／又はファイル毎に再生回数を検出させることで個々の記録データの状況が把握することができる。これによりデータごとに確実な保護を行うことが可能となる。
【００６３】
請求項２８に記載の発明は、ディレクトリ及び／又はファイルの作成時を基準としてその経過時間を検出させることで、情報記録媒体の経年変化等に対して記録データを保存することが可能となる。
【発明を実施するための最良の形態】
【００６４】
以下、図面を用いて本発明を実施するための最良の形態について説明する。
図１は本発明を適用した情報記録再生装置の要部構成を示した全体図である。情報記録再生装置としては、パソコン、ＤＶＤプレーヤ、ＤＶＤレコーダ、ホームサーバ、ゲーム機、ポータブルライタ、キオスク（無人端末）、店頭端末、ＨＤＤレコーダ、ＨＤＤナビゲーションシステム、ブルーレイディスクプレーヤ、ＨＤ−ＤＶＤ（High Definition DVD）プレーヤ等があげられる。
本実施の形態では、情報記録再生装置としてパソコン１を適用するものである。
【００６５】
パソコン１はその外観構成として、本体２、表示部３及び操作部４からなる。本体２には、記録ディスク５が装填される記録ディスク装填部６、メディアカード７が装填されるメディアカード装填部８及びデジタルカメラ等のデジタル撮影機器９が装填される外部機器接続部１０を備えるものである。
【００６６】
記録ディスク５としては、ＣＤ−Ｒ、ＣＤ−ＲＷ、ＤＶＤ−Ｒ、ＤＶＤ−ＲＷ、ＤＶＤ＋ＲＷ、ＭＯ（magneto−optical disk）、ブルーレイディスク及びＨＤ−ＤＶＤ等の光ストレージメディアがあげられる。
【００６７】
メディアカード７としては、スマートメディア（登録商標）、コンパクトフラッシュ（登録商標）、メモリースティック（登録商標）、ＳＤメモリーカード、ｘＤピクチャーカード（登録商標）等のマルチメディアカード等があげられる。
【００６８】
デジタル撮影機器９としては、デジタルスチルカメラ、デジタルビデオカメラ、カメラ付き携帯電話機、写真又はフィルムの画像を取り込むデジタルスキャナー等があげられる。
【００６９】
このような外観構成を有するパソコン１の機能的構成は図２に示すようになっている。パソコン１は、ＣＰＵ１１、データ入力部１２、データ記録部１３、記憶部１４、ＲＯＭ１５、ＲＡＭ１６、表示部３及び操作部４を備える。各部はバス１９により接続されている。
【００７０】
ＣＰＵ１１は、操作部４から入力される各種指示に従って、ＲＯＭ１５に記録されている各種プログラムの中から指定されたプログラムをＲＡＭ１６のワークエリアに展開し、上記プログラムとの協働によって各種処理を実行し、その処理結果をＲＡＭ１６の所定の領域に格納するとともに、表示部３に表示させるものである。
【００７１】
データ入力部１２は、記録ディスク装填部６、メディアカード装填部８及び外部機器接続部１０から構成されるものである。ＣＰＵ１１の制御に従って、記録ディスク装填部６、メディアカード装填部８又は外部機器接続部１０に装填される記録ディスク５等から画像データや固有情報等のデータを取得しＣＰＵに出力するものである。
【００７２】
ＲＯＭ１５は、ＣＰＵ１１により実行される各種アプリケーションプログラム等を記憶するものである。
【００７３】
ＲＡＭ１６は、書き換え可能な半導体素子で構成されるものである。ＲＡＭ１６は、データが一時的に保存される記憶媒体であり、ＣＰＵ１１が実行するプログラムを展開するためのプログラムエリアが形成されるものである。また、操作部４から入力されるデータやＣＰＵ１１による各種処理結果等を保存するためのデータエリア等を形成するものである。
【００７４】
データ記録部１３は、ＣＰＵ１１の指示に従って、記録ディスク装填部６、メディアカード装填部８又は外部機器接続部１０に装填された記録ディスク５等の情報記録媒体に画像データや固有情報等のデータを記録するものである。
【００７５】
記憶部１４は、ＨＤＤを備えて構成されるものである。データ入力部１２により記録ディスク５等から読み取られた画像データや固有情報又は生成された固有情報を記録するものである。
【００７６】
表示部３は、ＣＲＴ、ＬＣＤあるいは有機ＥＬパネル等により構成され、ＣＰＵ１１から入力される表示データに基づいて画面表示を行うものである。
【００７７】
操作部４は、各種のボタンを備え、ボタン操作による押下信号をＣＰＵ１１に出力する。表示部３と一体となったタッチパネルで構成されることとしても良い。
【００７８】
次に、図３を用いて記憶部１４のディレクトリ構造について説明する。
情報データ格納ディレクトリ（ＰＳ＿ＡＳＳＥＴ）には、複数の画像群（ロール）毎に対応したディレクトリ（ＡＲ＿２００４０５０５等）が格納されている。このロール毎のディレクトリには、画像データ（ＯＲ２００４０５０５００１.ｊｐｇ等）が記録されたファイルおよびロール毎の指示データ（ＡＲ２００４０５０５.ｐｖｍ等）が記録されたファイルが格納されている。
ここでロールとは、フィルムカメラにおけるフィルムに相当するものであり、撮影日、予定された画像数又はデータ量等の基準に応じて分類される単位をいう。
【００７９】
ロ−ル毎の指示データ（ＡＲ２００４０５０５.ｐｖｍ）は、画像データと該画像データに合成するＢＧＭデータや編集加工データ等を対応付ける指示データ等が記録されるものである。具体的には、例えば、複数の画像データを連続的に表示させるスライドショーの場合には、個々の画像データの再生順データ、各画像データを対応付けるパス情報、該画像に挿入する挿絵や文字等の合成パーツデータと画像データとを対応付けるパス情報及び色変換データ等が記録されているものである。
【００８０】
Ｉｎｄｅｘ.ｐｖｍのファイルには、記録ディスク５に記録される情報の統括的な制御を行うデータが記録されている。具体的には、記録ディスク５に複数のロールが存在する場合に、該ロールのタイトル情報等の一覧を表示し、該一覧と特定のロールを対応付けるパス情報等が記録されている。
【００８１】
次に、以上のような構成を有するパソコン１が記録データの保存処理等を行うまでの動作について、実施例１から３に分けて説明する。
【００８２】
〔第１実施例〕
図４は、パソコン１により実行される記録データ保存処理の一例を示したフロー図である。記録データとしては、静止画データ、動画像データ、アフレコ付静止画、サムネイル画像データ、スクリーンネイル画像データ、音声データ等があげられる。本実施例は記録データとして画像データを適用するものである。
【００８３】
記録ディスク装填部６に、記録ディスク５が挿入されると（ステップＳ１：ＹＥＳ）、データ入力部１２が、記録ディスク５のディスクＩＤを読み取り、ＣＰＵ１１に出力する（ステップＳ２）。
このディスクＩＤとの対応付けにより、記録ディスク５の現在までの再生回数等を記録したファイルを検出し、記録ディスク５の劣化状態（以下、「劣化状態データ」という）を検出する（ステップＳ３）。
なお、上記劣化状態データは、図３に示すところのＩｎｄｅｘ.ｐｖｍあるいはＡＲ２００４０５０５.ｐｖｍ等の指示ファイルに記録されるものである。
【００８４】
その後、ＣＰＵ１１は、パソコン１の記憶部１４に記憶されている予め定められた基準劣化状態情報（以下、「基準値データ」という）を読み取る（ステップＳ４）。この基準値データは記録ディスク５が再生により劣化する回数を予め設定したものである。例えば、記録ディスク５に照射される読み取りレーザの熱によりピットが劣化すると予測される再生回数をいう。
そして、上記劣化状態データと基準値データとを比較し（ステップＳ５）、劣化状態データが基準値データを超える場合には（ステップＳ５：ＹＥＳ）、パソコン１の表示部３に、画像データのバックアップを促す警告を表示する（ステップＳ６）。
【００８５】
上記警告を表示した後、データ入力部１２は記録ディスク５の画像データを読み込みＣＰＵ１１に出力し表示部３に画像が再生される（ステップＳ９）。
【００８６】
また、上記ステップＳ５で、劣化状態データが基準値データを超えない場合には（ステップＳ５：ＮＯ）、劣化状態データに今回再生する分の値を付加した新たな劣化状態データを生成し（ステップＳ７）、この情報を上述したＩｎｄｅｘ.ｐｖｍあるいはＡＲ２００４０５０５.ｐｖｍ等の指示ファイルに記録するよ（ステップＳ８）。
【００８７】
なお、上記実施例１では、ステップＳ６において表示部３にバックアップ警告を表示する手順を採用しているが、この手順に代えて自動的にバックアップを行う手順とすることも可能であり同様の効果を得ることができる。更には両手順を適用する構成とすることでより確実な効果を得ることが可能である。
【００８８】
以上のように、本実施例１によれば、記録ディスク５の再生回数をパソコン１が自動的に計測し、一定条件下でバックアップ警告を表示することから、データ保護に対するユーザの過誤や失念を確実に低減し、画像データのより長期な保存を可能にする。
【００８９】
〔実施例２〕
次に、図５を用いて、パソコン１によって実行される記録データ保存処理の他の一例を説明する。
上記実施例１と同様に、記録ディスク装填部６に記録ディスク５が挿入されると（ステップＳ１１）、ＣＰＵ１１の指示により、データ入力部１２は記録ディスク５の読み込みを開始する。このとき、画像データ等が記録されたファイルを格納するファイル名称又はディレクトリ名称を検出する（ステップＳ１２）。
【００９０】
ＣＰＵ１１は、図３のＩｎｄｅｘ．ｐｖｍ等に記録される劣化状態データを検出する（ステップＳ１３）。劣化状態データは、上記ファイル名称又はディレクトリ名称と対応付けられるものである。また一方で、ＣＰＵ１１は、上記実施例１で述べた基準値データを記憶部１４から取得する（ステップＳ１４）。
【００９１】
ＣＰＵ１１は、このように取得された劣化状態データと基準値データとを比較し、劣化状態データが基準値データを超える場合には、上記画像データの自動バックアップを行う（ステップＳ１６）。
なお、バックアップ先としては、記憶部１４、新たな記録ディスク、記録ディスク５の空き領域若しくは上書き、パソコン１と接続される外部記憶機器又はその他の情報記録媒体等があげられる。
【００９２】
上記自動バックアップの後、ＣＰＵ１１の指示に基づいて、記憶部１４は劣化状態データの値をリセット即ち零に戻す（ステップＳ１７）。すでにバックアップデータを作成したため、次回からの再生時に自動バックアップ（ステップＳ１６）を省略させるためである。
【００９３】
その後、データ入力部１２は画像データを読み込みＣＰＵ１１に出力する。ＣＰＵ１１は表示部３に該画像データを出力し画像データを再生させる（ステップＳ２０）。
【００９４】
一方、上記ステップＳ１５で、劣化状態データが基準値データを超えない場合には、ＣＰＵ１１は、この劣化状態データに現在の再生分の数値を付加した新たな劣化状態データを生成し（ステップＳ１８）、上記対応付けられるファイル（図２のＩｎｄｅｘ．ｐｖｍ等）に記録するようになっている（ステップＳ２０）。その後、データ入力部１２は画像データを読み込み、ＣＰＵ１１は表示部３に該画像データを出力し、該画像データが再生される（ステップＳ２０）。
【００９５】
なお、本実施例２においては、ステップＳ１６で自動バックアップを行う手順としているが、該手順に代えて実施例１と同様に表示部３にバックアップ警告を表示する手順（図４ステップＳ５参照）としても、バックアップ警告を表示する手順と自動バックアップ手順（ステップＳ１６）との両者を採用することも可能であり更に確実な効果を得るもことができる。
【００９６】
以上のように、本実施例２よれば、記録ディスク５に記録された画像データを自動的にバックアップすることから、バックアップ忘れ等による画像データの劣化を確実に防止することができる。
【００９７】
〔実施例３〕
次に、図６を用いて、パソコン１により実行される記録データ保存処理の他の一例を説明する。
ステップＳ２１において、記録ディスク５の装填が検出されると、データ入力部１２は記録されている画像データを読み込む。このときＣＰＵ１１は、画像データが記録されるファイル又はディレクトリを検出するようになっている（ステップＳ２２）。
【００９８】
ＣＰＵ１１は、このファイル又はディレクトリから画像データが記録された日時データを読み出す（ステップＳ２３）。また一方で、ＣＰＵ１１はパソコン１に備えられるクロックから現在日時のデータを取得する（ステップＳ２４）。更には、記憶部１４から基準値データを取得する（ステップＳ２５）。
なお、本実施例３では、この基準値データは上記実施例１及び２とは異なり、例えば秒、分、時、日、月、年又はこれらの組合せといった経時的な値に基づくものである。
【００９９】
ＣＰＵ１１は、画像データが記録された日即ちディレクトリ又はファイルが作成されたときの日時データと現在日時データとを比較し、両データの差分即ち画像データが記録されてからの経過時間が、上記基準値データを超えるかを判別する（ステップＳ２６）。超える場合には（ステップＳ２６：ＹＥＳ）、画像データの自動バックアップが行われる（ステップＳ２７）。
その後、データ入力部１２は画像データを読み込み、ＣＰＵ１１は画像データを再生させる（ステップＳ２８）。
【０１００】
また、上記ステップＳ２６で基準値データを超えない場合には、データ入力部１２は画像データを読み込み、ＣＰＵ１１は表示部３に該画像データを出力し、該画像データが再生されるようになっている（ステップＳ２８）。
【０１０１】
以上のように、本実施例３によれば、画像データが記録された日時と現在日時とを比較することでバックアップの要否を判断することから、記録ディスク５の経年変化に対し確実に画像データを保存することが可能となる。
また、上記ステップＳ２７においては、自動バックアップに代えて表示部にバックアップ警告を表示する構成あるいはこの両者を組み合わせた構成としても同様なあるいはより確実な効果を得ることができる。
【０１０２】
なお、上記実施例１〜３のステップＳ４（図４）、ステップＳ１４（図５）又はステップＳ２５（図６）において、記憶部１４から取得する基準値データは、必ずしも一律に設定されるものである必要はなく、記録ディスク５で画像データが記録される記録領域の位置によって変化をもたせる構成としてもよい。即ち、一般に光ストレージデバイス等が有する円盤の形状は、外周の近傍ほど物理的な損傷を受けやすい。
そこで、外周近傍等に記録されている記録データほど、基準値データを低く設定し、内周に記録されているデータより早期にバックアップ警告の表示又はバックアップを行う構成としてもよい。
【０１０３】
即ち、ＣＤ−ＲやＤＶＤ−ＲＷ等の記録面には、全体にわたってＡＴＩＰ（Absolute Time In Pregroove）情報が書き込まれている。ＡＴＩＰ情報は、ディスク上でのその場所の時間情報（先頭から再生した場合の分、秒、フレーム数等）、最大記録可能時間、ディスクの種類等を表すものである。このような情報は、記録面に形成される微細凸起であるプレグルーブが左右に僅かに蛇行することによって記録されるものである。具体的には、プレグルーブの蛇行の周期は、ＡＴＩＰ情報をＦＭ変調したものであり、光学ヘッドがこのプレグルーブをトレースすることでＡＴＩＰ情報を読み出すことができるように構成されている。
【０１０４】
したがって、ＣＰＵ１１はＡＴＩＰ情報の時間情報等から記録データの記録位置を識別することが可能となり、外周近傍の記録データには、通常設定されている基準値よりも低く設定された基準値データをもって劣化状態データと比較を行う構成（例えば、ステップＳ１５）とすることも可能である。
これにより、より確実に記録データの保存を行うことが可能となる。
【０１０５】
以上、本発明を適用した情報記録再生装置及びこの情報記録再生装置を機能させるプログラムについて説明したが、本発明は上記実施例に限定されるものではない。
【図面の簡単な説明】
【０１０６】
【図１】本発明の実施の形態にかかるパソコン１の要部構成を示した全体図である。
【図２】本発明の実施の形態にかかるパソコン１の機能的構成を示したブロック図である。
【図３】本発明の実施の形態にかかるパソコン１に備えられる記憶部１４のデータ構成を模式的に示した図である。
【図４】本発明の実施の形態にかかるパソコン１を機能させるプログラム構成の一例を示したフロー図である。
【図５】本発明の実施の形態にかかるパソコン１を機能させるプログラム構成の他の一例を示したフロー図である。
【図６】本発明の実施の形態にかかるパソコン１を機能させるプログラム構成の他の一例を示したフロー図である。
【符号の説明】
【０１０７】
１  パソコン
２  本体
３  表示部
４  操作部
５  記録ディスク
６  記録ディスク装填部
７  メディアカード
８  メディアカード装填部
９  デジタルカメラ
１０  外部機器接続部
１１  ＣＰＵ
１２  データ入力部
１３  データ記録部
１４  記憶部
１５  ＲＯＭ
１６  ＲＡＭ
【図１】
2006065976.tif 000003
【図２】
2006065976.tif 000004
【図３】
2006065976.tif 000005
【図４】
2006065976.tif 000006
【図５】
2006065976.tif 000007
【図６】
2006065976.tif 000008